(57)【特許請求の範囲】
【請求項１】
前面枠に装着される遊技盤の前面を覆う透明部材をカバー枠に取付け、カバー枠を蝶番を介して前記前面枠に開閉自由に取付ける遊技機において、
前記カバー枠は、樹脂製の取付ベースと、透明部材を一方向から嵌挿して保持可能な金属製の透明部材保持枠とから成ると共に、
前記透明部材保持枠を取付ベースの裏面側の所定位置に保持する保持手段および固定する固定手段を備え、
前記固定手段は、前記透明部材保持枠の辺部に形成される取付フランジと、前記取付フランジを前記取付ベースに止着するためのネジと、からなり、
前記保持手段は、透明部材保持枠に設けられ透明部材保持枠の対向位置にある左右２つの辺部からそれぞれ外方に突出する突出部と、取付ベースの裏面側に設けられこれらの突出部と係合する嵌合受部とからなり、
前記嵌合受部は、取付ベースの裏面に対して所定間隔を空けて設けられる抑え壁と、前記抑え壁の下端部と前記取付ベースとを接合する下部壁と、前記抑え壁の外側端部と前記取付ベースとを接合する側壁と、から構成され、
前記透明部材保持枠は、前記突出部を前記取付ベースと前記抑え壁との間に上方から挿入し、当該突出部の下端部を前記下部壁に当接させて係合し、また前記突出部と前記抑え壁とによって前記透明部材保持枠の裏面への動きを規制するように、前記取付ベースに保持され、
該保持された状態において、前記取付フランジの固定部位と取付ベースのネジ穴が合致して前記ネジにより前記取付フランジを前記取付ベースに止着すると、前記透明部材保持枠が取付ベースの裏面に一体的に固定されるようにしたことを特徴とする遊技機のカバー枠構造。
【発明の詳細な説明】
【０００１】
【発明の属する技術分野】
この発明は、遊技機の遊技盤前面側を覆うカバーガラス等の透明部材を取付けるカバー枠の構造に関する。
【０００２】
【従来の技術】
球を用いて遊技を行う遊技機では、遊技盤の遊技領域の前面に、落下する球を案内するためならびに遮音のために、複数（２枚）のカバーガラスが配置され、カバーガラスは金属製のガラス枠により保持している。
【０００３】
このガラス枠は、遊技機の前面枠の開口窓部の縁に固定された縁飾り枠に形成された蝶番に取付けられ、遊技機の前面側に遊技盤の遊技領域を覆う状態で開閉可能になっている。
【０００４】
ところで、最近の遊技機では、カバーガラスを保持すると共に遊技機の前面枠部分も覆う樹脂製からなるカバー枠を配設して、カバー枠に様々なランプ等の光る装飾を設けたり、また様々な形状、色の装飾部材を設けたりして、装飾効果を高めるようにしたものがある。
【０００５】
【発明が解決しようとする課題】
しかしながら、このカバー枠は、遊技盤上での球止まり等の際に何度も開け閉め動作を行う部分であるので、カバー枠に衝撃がかかり、このため樹脂製のカバー枠のベースにカバーガラスを保持する保持部を簡単な固定手段、例えば単にネジにより固定を行っていた場合、ネジがバカになる等して抜け落ちてしまったり、また保持部にガタが生じてカバーガラスが遊技盤の釘等に接触してしまう恐れがある。
【０００６】
また、樹脂製の場合、力が加わるとゆがみやすく、そのため保持部の固定部分に余分な力が加わり、固定手段に余計に負担がかかるのである。固定手段が機能しなくなったままカバー枠を開いた場合には、カバーガラスが外れることもある。
【０００７】
この発明は、このような問題点を解決することを目的としている。
【０００８】
【課題を解決するための手段】
第１の発明は、前面枠に装着される遊技盤の前面を覆う透明部材をカバー枠に取付け、カバー枠を蝶番を介して前記前面枠に開閉自由に取付ける遊技機において、前記カバー枠は、樹脂製の取付ベースと、透明部材を一方向から嵌挿して保持可能な金属製の透明部材保持枠とから成ると共に、前記透明部材保持枠を取付ベースの裏面側の所定位置に保持する保持手段および固定する固定手段を備え、前記固定手段は、前記透明部材保持枠の辺部に形成される取付フランジと、前記取付フランジを前記取付ベースに止着するためのネジと、からなり、前記保持手段は、透明部材保持枠に設けられ透明部材保持枠の対向位置にある左右２つの辺部からそれぞれ外方に突出する突出部と、取付ベースの裏面側に設けられこれらの突出部と係合する嵌合受部とからなり、前記嵌合受部は、取付ベースの裏面に突設される下部壁および側壁と、取付ベースの裏面に対して所定間隔を空けて設けられる抑え壁と、前記抑え壁の下端部と前記取付ベースとを接合する下部壁と、前記抑え壁の外側端部と前記取付ベースとを接合する側壁と、から構成され、前記透明部材保持枠は、前記突出部を前記取付ベースと前記抑え壁との間に上方から挿入し、当該突出部の下端部を前記下部壁に当接させて係合し、また前記突出部と前記抑え壁とによって前記透明部材保持枠の裏面への動きを規制するように、前記取付ベースに保持され、該保持された状態において、前記取付フランジの固定部位と取付ベースのネジ穴が合致して前記ネジにより前記取付フランジを前記取付ベースに止着すると、前記透明部材保持枠が取付ベースの裏面に一体的に固定されるようにした。
【００１１】
【発明の実施の形態】
以下、本発明の実施の形態を図面に基づいて説明する。
【００１２】
図１に示すように、１は遊技機（パチンコ遊技機）、２は機枠３に蝶番４を介して開閉可能に組付けられる基枠（前面枠とも呼ぶ）、５は基枠２のフレーム内に装着される遊技盤、６は遊技盤５の前面を覆うカバーガラスである。
【００１３】
カバーガラス６はカバー枠７に取付けられ、カバー枠７は蝶番８を介して基枠２の前面に開閉可能に取付けられる。
【００１４】
遊技盤５の表面には、ガイドレール１０で囲われた遊技領域のほぼ中央に遊技画像等を表示する可変表示装置１１が、可変表示装置１１の下方に変動入賞装置１２が配設され、変動入賞装置１２の直上方に始動口１３が、可変表示装置１１直上方および左右に一般入賞口６０，６１が配設される。
【００１５】
基枠２の下部の開閉パネル１４には遊技球を打球発射装置に供給する上皿１５が配設され、固定パネル１６には下皿１７、打球発射装置の操作部１８等が配設される。なお、２０はカード式の球貸機である。
【００１６】
図２、図３のように、カバー枠７は、樹脂製からなる取付ベース２２が遊技盤５の周辺部およびその回りの基枠２の前面部分、開閉パネル１４の沿部を覆う枠形状に形成される。取付ベース２２の左右の枠部は前面に膨出するように形成され、取付ベース２２の裏面の開口部２３の周縁にはカバーガラス６の保持枠２４の取付座２５が形成される。
【００１７】
保持枠２４は、図４、図５のように内側に２条の溝が形成された３つの辺部２６，２７，２８から形成される金属製の枠部の対向する辺部２６，２８の上端がバー３０に結合され、バー３０の両側から辺部２６，２７，２８の溝にカバーガラス６を嵌挿可能に形成される。
【００１８】
そして、取付ベース２２と保持枠２４との間に、保持枠２４を所定の位置（取付座２５）に保持する保持手段３１と、保持枠２４を固定する固定手段３２とが設けられる。
【００１９】
保持手段３１は、カバー枠７の上部側に保持枠２４のバー３０が配置されるのに対して、保持枠２４の左右の辺部２６，２８のそれぞれ所定の位置に、図４、図５、図６のように外方に突出する突出部３３が設けられ、これらに対応して取付ベース２２の裏面のそれぞれ所定の位置に、図７、図８のように突出部３３と係合する嵌合受部３４が形成される。嵌合受部３４は、取付ベース２２の裏面に突設される下部壁３５および側壁３６と、取付ベース２２の裏面に対して所定の間隔を空けて設けられる抑え壁３７とから形成され、保持枠２４の突出部３３は、表面を抑え壁３７に摺接させ、下端部を下部壁３５に当接させて係合される。
【００２０】
固定手段３２は、図４、図９、図１０のように保持枠２４の左右の辺部２６，２８のそれぞれ所定の位置に通し穴を持つ取付フランジ３８が、下端の辺部２７のそれぞれ所定の位置に溝を持つ取付フランジ４０が設けられ、これらに対応して取付ベース２２の裏面のそれぞれ所定の位置に図１１のようにネジ穴を持つ止着ボス４１等が形成される。
【００２１】
この取付フランジ３８，４０、止着ボス４１等の位置は、カバー枠７の上部側から取付ベース２２の取付座２５に保持枠２４をあてがいスライドさせ、各突出部３３を取付ベース２２の対応する嵌合受部３４に係合させ、保持枠２４を取付座２５に保持した状態において、取付フランジ３８の通し穴、取付フランジ４０の溝が止着ボス４１等のネジ穴に合うように、即ち保持手段３１により取付ベース２２に保持枠２４を保持すると、固定手段３２の固定部位が合致するように形成される。この保持状態で、ネジ４２を止めることにより、保持枠２４が取付ベース２２に締結、固定される（図２）。
【００２２】
取付ベース２２の左側の枠部の裏面の上部および下部には、基枠２との間に設けられる蝶番８の金具４３，４４が取付けられ、基枠２側の蝶番金具に組付けることで、取付ベース２２が基枠２に開閉自由に取付けられる。取付ベース２２の右側の枠部の中央には、カバー枠７、基枠２等の開錠４５の切欠部４６が形成される。なお、前記保持枠２４の辺部２８には、図示しない開閉バーに掛止してカバー枠７を閉位置にロックする係止部４７が形成され、開錠４５の操作によって開閉バーが解放されるとカバー枠７が開かれる。
【００２３】
取付ベース２２の表面には、開口部２３の周縁に環状の装飾部材４８が、上部に装飾クリアカバー５０が取付けられ、装飾クリアカバー５０内に装飾用ランプ５１が、装飾部材４８の上部に取付けられる装飾クリアカバー５２内に装飾用ＬＥＤ５３が配置される。５４は装飾用ランプ５１、装飾用ＬＥＤ５３の配線を示す。なお、５５はカバー枠７の開放を検知する検知スイッチである。
【００２４】
このような構成により、カバーガラス６の保持枠２４は取付ベース２２に保持手段３１および固定手段３２によって保持および固定されるが、保持手段３１を設けたので、固定手段３２の負担が軽減される。
【００２５】
この場合、保持枠２４の突出部３３と取付ベース２２の嵌合受部３４の下部壁３５とによって、カバーガラス６の重量が支えられ、また保持枠２４の突出部３３と取付ベース２２の嵌合受部３４の抑え壁３７とによって、保持枠２４の裏面側への動きが規制されるので、固定手段３２にカバーガラス６の重量が加わったり、離間方向に力が加わることが避けられる。
【００２６】
このため、固定手段３２のネジ４２を止めることにより、保持枠２４が取付ベース２２に確実に締結、固定される。特に、取付ベース２２に保持枠２４とは分離して蝶番の金具４３，４４を設けて、基枠２に取付ベース２２を取付ける構造のため、カバーガラス６の重量が保持枠２４の固定部分にかかるのであるが、このような保持手段３１と固定手段３２とを設けることによって、保持枠２４が取付ベース２２に確実に保持、固定される。
【００２７】
したがって、カバー枠７の開閉等により衝撃が加わっても、ネジ固定部分がバカになったり、ネジ４２が抜け落ちるようなことはなく、また固定部分にガタが生じて、カバーガラス６が遊技盤５の釘等に接触するようなこともなく、高い信頼性が確保される。
【００２８】
また、固定手段３２の締結により保持枠２４が取付ベース２２の取付座２５に一体的に固定されることで、取付ベース２２の補強枠を兼ねるようになり、そのためカバー枠７の開閉時等に取付ベース２２がゆがむようなことはなく、また取付ベース２２に余分な力が加わっても、固定手段３２に影響することは避けられる。
【００２９】
また、万一固定手段３２が外れることがあっても、保持枠２４は保持手段３１によって保持されているので、保持枠２４ごとカバーガラス６が外れることはなく、一層高い信頼性が確保される。
【００３０】
また、保持手段３１によって保持枠２４を取付ベース２２に保持すると、固定手段３２の固定部位が合わさるため、固定手段３２の固定を容易に行えると共に、ネジ等の簡単な方法によって固定することができ、コストが低減される。
【００３１】
【発明の効果】
以上のように第１の発明によれば、透明部材の重量が固定手段に加わることがなく、透明部材保持枠を樹脂製の取付ベースに確実に固定でき、カバー枠の開閉等により衝撃が加わっても、透明部材が遊技盤の釘等に接触するようなことはなく、また万一固定手段が外れても、透明部材が外れることはなく、高い信頼性を確保できる。また、固定手段の固定を簡単な構造にて容易に行うことができる。
【００３２】
また、カバー枠の開閉時等に取付ベースがゆがむようなことはなく、また取付ベースに余分な力が加わっても、固定手段に影響することはなく、透明部材保持枠を樹脂製の取付ベースに確実に固定できる。
【図面の簡単な説明】
【図１】遊技機の正面図である。
【図２】カバー枠の裏面図である。
【図３】カバー枠の前面部分の分解斜視図である。
【図４】保持枠の正面図である。
【図５】保持枠の突出部部分の断面図である。
【図６】保持枠の突出部部分の斜視図である。
【図７】保持手段の係合状態を示す断面図である。
【図８】保持手段の嵌合受部を示す斜視図である。
【図９】保持枠の取付フランジ部分の断面図である。
【図１０】保持枠の取付フランジ部分の斜視図である。
【図１１】固定手段の止着ボス部分の斜視図である。
【符号の説明】
１  遊技機
２  基枠
３  機枠
５  遊技盤
６  カバーガラス
７  カバー枠
８  蝶番
１１  可変表示装置
１２  変動入賞装置
２２  取付ベース
２３  開口部
２４  保持枠
２５  取付座
２６，２７，２８  辺部
３０  バー
３１  保持手段
３２  固定手段
３３  突出部
３４  嵌合受部
３５  下部壁
３６  側壁
３７  抑え壁
３８，４０  取付フランジ
４１  止着ボス
４２  ネジ
４３，４４  金具
４７  係止部
４８  装飾部材
５０，５２  装飾クリアカバー
【図１】
0003960670.tif 000002
【図２】
0003960670.tif 000003
【図３】
0003960670.tif 000004
【図４】
0003960670.tif 000005
【図５】
0003960670.tif 000006
【図６】
0003960670.tif 000007
【図７】
0003960670.tif 000008
【図８】
0003960670.tif 000009
【図９】
0003960670.tif 000010
【図１０】
0003960670.tif 000011
【図１１】
0003960670.tif 000012